(57)【要約】【課題】受信性能が高められた受信機を提供する。【解決手段】フィルタ１１を経由して入力された受信信号からパイロットシンボルおよびデータシンボルを逆拡散部１２＿１１で取り出し、フェージング周期測定部１２＿１２で測定されたフェージング周期に対応するブロック長のパイロットシンボルを用いたチャネル推定をチャネル推定部１２＿１３で行なうとともに待ち合わせメモリ１２＿１４でチャネル推定に必要な時間だけ待たせたデータシンボルを逆回転部１２＿１５でパイロットシンボルの逆回転ベクトル分だけ逆回転させて復号結果を求めて信号合成回路１３で合成する。【選択図】　　　　図１
2004140561.tif 000002
【特許請求の範囲】
【請求項１】
パイロットチャネルを有する無線通信システムにおける受信機において、
フェージング周期を測定するフェージング周期測定部と、
チャネル推定を行なうチャネル推定部とを備え、
前記チャネル推定部は、前記フェージング周期測定部で測定されたフェージング周期に応じたブロック長のパイロットシンボルを用いたチャネル推定を行なうものであることを特徴とする受信機。
【請求項２】
前記チャネル推定部は、前記フェージング周期測定部で測定されたフェージング周期が長いほど長いブロック長のパイロットシンボルを用いたチャネル推定を行なうものであることを特徴とする請求項１記載の受信機。
【発明の詳細な説明】
【０００１】
【発明の属する技術分野】
本発明は、パイロットチャネルを有する無線通信システムにおける受信機に関する。
【０００２】
【従来の技術】
従来より、符号分割多元接続（ＣＤＭＡ：Ｃｏｄｅ　Ｄｉｖｉｓｉｏｎ　Ｍｕｌｔｉｐｌｅ　Ａｃｃｅｓｓ）方式の無線受信機が広く用いられている。このような無線受信機では、基地局から発信される電波が複数経路を経由して受信される等の理由に起因して発生する伝送状況の変動（フェージング）による受信信号の劣化を抑えるために、既知の信号（基準信号）であるパイロットシンボルを用いて伝送路の伝達関数を推定するチャネル推定を行なって受信信号を補償するということが行なわれている。例えば、受信信号に含まれるパイロットシンボルを用いてチャネル推定値を求め、その値を基に時間的に重ならず且つ最も近い位置に存在するデータシンボルを補償する技術が提案されている（特許文献１参照）。
【０００３】
【特許文献１】
特開２００２−５７６０１号公報（段落番号００３０−段落番号０
０３８、第１図および第２図）
【０００４】
【発明が解決しようとする課題】
しかし、従来の無線受信機では、チャネル推定を行なうために用いられるパイロットシンボルの数は常に一定であり、このためフェージング周期が変動すると、チャネル推定値の精度が低くなる場合があり、従って受信性能が低下するという問題が発生する。
【０００５】
本発明は、上記事情に鑑み、受信性能が高められた受信機を提供することを目的とする。
【０００６】
【課題を解決するための手段】
上記目的を達成する本発明の受信機は、パイロットチャネルを有する無線通信システムにおける受信機において、
フェージング周期を測定するフェージング周期測定部と、
チャネル推定を行なうチャネル推定部とを備え、
上記チャネル推定部は、上記フェージング周期測定部で測定されたフェージング周期に応じたブロック長のパイロットシンボルを用いたチャネル推定を行なうものであることを特徴とする。
【０００７】
本発明の受信機は、フェージング周期測定部で測定されたフェージング周期に対応するブロック長のパイロットシンボルを用いたチャネル推定を行なうものであるため、受信信号の、フェージングの影響を受けて受信感度が低下した部分を除く周辺部分である受信感度が比較的高い部分に対応するパイロットシンボルを用いてチャンネル推定を行なうことができる。従って、チャネル推定の精度が高まり、受信機の受信性能を高めることができる。
【０００８】
ここで、上記チャネル推定部は、上記フェージング周期測定部で測定されたフェージング周期が長いほど長いブロック長のパイロットシンボルを用いたチャネル推定を行なうものであることが好ましい。
【０００９】
このようにすると、フェージング周期が比較的長い場合はブロック長も比較的長くなり、このため、受信信号の、受信感度が比較的高い部分に対応するパイロットシンボルを多く用いてチャンネル推定が行なわれてチャネル推定の精度が高まる。一方、フェージング周期が比較的短い場合はブロック長も比較的短くなり（チャネル推定に用いるパイロットシンボル数が低減する）、従ってチャネル推定の精度を高く維持したまま消費電力を削減することができる。
【００１０】
【発明の実施の形態】
以下、本発明の実施形態について説明する。
【００１１】
図１は、本発明の受信機の一実施形態の構成を示すブロック図である。
【００１２】
図１に示す無線受信機１０は、パイロットチャネルを有するＣＤＭＡ方式の無線受信機であり、この無線受信機１０は、基地局から発信された電波を受信して得た受信信号を復調するものである。
【００１３】
この無線受信機１０には、フィルタ１１と、復調回路１２＿１，１２＿２，…，１２＿ｎと、信号合成回路１３とが備えられている。
【００１４】
フィルタ１１は、基地局との通信の開始にあたり、その基地局から発信された電波を受信して得た受信信号を入力して、基地局との同期をとるために用いられるマッチドフィルタである。
【００１５】
復調回路１２＿１は、逆拡散部１２＿１１と、フェージング周期測定部１２＿１２と、チャネル推定部１２＿１３と、待ち合わせメモリ１２＿１４と、逆回転部１２＿１５とが備えられている。尚、復調回路１２＿２，…，１２＿ｎの構成も、この復調回路１２＿１の構成と同じであるため、ここでは復調回路１２＿１の構成についてのみ説明し、復調回路１２＿２，…，１２＿ｎの構成についてはその説明を省略する。
【００１６】
復調回路１２＿１を構成する逆拡散部１２＿１１は、フィルタ１１からの受信信号を入力し、入力された受信信号からパイロットシンボルおよびデータシンボルを取り出す。
【００１７】
フェージング周期測定部１２＿１２は、逆拡散部１２＿１１からのパイロットシンボルおよびデータシンボルを入力し、受信信号のレベルがどのような周期で変化しているのかを示すフェージング周期を測定する。
【００１８】
チャネル推定部１２＿１３は、詳細は後述するが、フェージング周期測定部１２＿１２で測定されたフェージング周期に対応するブロック長のパイロットシンボルを用いたチャネル推定を行なう。
【００１９】
待ち合わせメモリ１２＿１４は、逆拡散部１２＿１１からのデータシンボルを、チャネル推定部１２＿１３でチャネル推定する時間分だけ待たせるためのメモリである。
【００２０】
逆回転部１２＿１５は、待ち合わせメモリ１２＿１４からのデータシンボルを、チャネル推定部１２＿１３からのパイロットシンボルの逆回転ベクトル分だけ逆回転させることにより復号結果を出力する。尚、復調回路１２＿２，…，１２＿ｎを構成する図示しない逆回転部からも同様にして復号結果が出力される。
【００２１】
信号合成回路１３は、復調回路１２＿１を構成する逆回転部１２＿１５からの復号結果、および復調回路１２＿２，…，１２＿ｎを構成する図示しない逆回転部からの復号結果を合成する。このようにして、復調された受信信号が得られる。
【００２２】
図２は、図１に示すフェージング周期測定部で測定される受信信号のフェージング周期を示すグラフとパイロットシンボルを示す図である。
【００２３】
受信信号は、グラフ内の点線で示す、フェージングの影響を受けて受信レベルが低下した部分を持つフェージング周期を有する。この受信信号の時間軸に対応して、パイロットチャネルの、シンボル番号１〜２０が付されたパイロットシンボル（以下、パイロットシンボル１〜２０と記述する）が示されている。ここで、斜線で示すパイロットシンボル５，６およびパイロットシンボル１３，１４が、受信信号のレベルが低下した部分に対応する。
【００２４】
図３は、チャネル推定を行なうためのパイロットシンボルを示す図である。
【００２５】
図３（ａ）は、比較例におけるチャネル推定用のパイロットシンボルを示す図、図３（ｂ）は、本実施形態におけるチャネル推定用のパイロットシンボルを示す図、図３（ｃ）は、本実施形態とは異なる実施形態におけるチャネル推定用のパイロットシンボルを示す図である。
【００２６】
図３（ａ）に示す比較例は、チャネル推定区間Ａ１〜Ａ１０で示される２つのパイロットシンボル毎にチャネル推定を行なうものである。このように、チャネル周期は一定（２シンボル周期）であるため、受信信号の、フェージングの影響を受けて受信レベルが低下したパイロットシンボル５，６およびパイロットシンボル１３，１４に対応する部分におけるチャネル推定区間Ａ３，Ａ７では、チャネル推定の精度が低いという問題がある。
【００２７】
一方、図３（ｂ）に示す本実施形態では、フェージング周期測定部１２＿１２で測定された、パイロットシンボル５，６から次のパイロットシンボル１３，１４までのフェージング周期（８シンボル周期）に対応するブロック長のパイロットシンボル（８つのパイロットシンボル）を用いたチャネル推定を行なう。即ち、受信信号の、パイロットシンボル５，６を含む部分におけるチャネル推定区間Ｂ１では、８つのパイロットシンボル３〜１０を用いてチャネル推定を行ない、また受信信号の、パイロットシンボル１３，１４を含む部分におけるチャネル推定区間Ｂ２では、８つのパイロットシンボル１１〜１８を用いてチャネル推定を行なう。
【００２８】
このように、本実施形態では、フェージング周期測定部１２＿１２で測定されたフェージング周期に対応するブロック長の８つのパイロットシンボルを用いたチャネル推定を行なうものであり、受信信号の、フェージングの影響を受けて受信レベルが低下した部分を除く周辺部分である受信レベルが比較的高い部分に対応するパイロットシンボルを用いてチャンネル推定が行なわれる。従って、チャネル推定の精度が高まり、無線受信機１０の受信性能を高めることができる。
【００２９】
次に、本実施形態とは異なる実施形態におけるチャネル推定について、図３（ｃ）を参照して説明する。
【００３０】
図３（ｃ）には、２パイロットシンボル毎に時間軸方向に更新されるチャネル推定区間Ｂ１，Ｂ２，Ｂ３，Ｂ４が示されている。これらチャネル推定区間Ｂ１，Ｂ２，Ｂ３，Ｂ４は、フェージング周期（８シンボル周期）に対応するブロック長の８つのパイロットシンボルからなるものであり、チャネル推定区間Ｂ１においては、パイロットシンボル３，４を中心とする、パイロットシンボル１の直前のパイロットシンボル（図示せず）を含むパイロットシンボル７までの８つのパイロットシンボルを用いてチャネル推定を行なう。即ち、２つのパイロットシンボルを中心としてその前後に各３つのパイロットシンボルを付加してチャネル推定を行なう。また、チャネル推定区間Ｂ２では、パイロットシンボル５，６を中心とするパイロットシンボル２からパイロットシンボル９までの８つのパイロットシンボルを用いてチャネル推定を行なう。以下、同様にして、チャネル推定区間Ｂ３ではパイロットシンボル７，８を中心とするパイロットシンボル４からパイロットシンボル１１までの８つのパイロットシンボルを用いてチャネル推定を行ない、チャネル推定区間Ｂ４ではパイロットシンボル９，１０を中心とするパイロットシンボル６からパイロットシンボル１３までの８つのパイロットシンボルを用いてチャネル推定を行なう。このようにしてチャネル推定を行なうことにより、受信信号の、フェージングの影響を受けて受信レベルが低下したパイロットシンボル５，６やパイロットシンボル１３，１４に対応する部分においても、高い精度でチャンネル推定を行なうことができる。このようにして、無線受信機の受信性能を高めてもよい。尚、ここでは、２つのパイロットシンボルを中心としてその前後に各３つのパイロットシンボルを付加してチャネル推定を行なう例で説明したが、あるパイロットシンボルを中心としてその前にのみ所定数のパイロットシンボルを付加してもよく、またあるパイロットシンボルを中心としてその後ろにのみ所定数のパイロットシンボルを付加してもよく、あるいはあるパイロットシンボルを中心としてその前後に互いに異なる所定数のパイロットシンボルを付加してもよい。また、この実施形態では、いずれのチャネル推定区間であっても所定数（８つ）のパイロットシンボルからなる一定のブロック長であるため、待ち合わせメモリを可変長にする必要はなく、制御が簡素化される。
【００３１】
尚、上述した実施形態では、フェージング周期測定部で測定されたフェージング周期に対応するブロック長のパイロットシンボルを用いたチャネル推定を行なう例で説明したが、フェージング周期測定部で測定されたフェージング周期が長いほど長いブロック長のパイロットシンボルを用いたチャネル推定を行なってもよく、さらにこれらに限られるものではなく、本発明は、フェージング周期測定部で測定されたフェージング周期に応じたブロック長のパイロットシンボルを用いたチャネル推定を行なうものであればよい。
【００３２】
また、ＣＤＭＡ方式の無線受信機の例で説明したが、本発明は、これに限られるものではなく、パイロットチャネルを有する無線通信システムにおける受信機であればよい。
【００３３】
さらに、本発明を、受信感度に応じた重み係数を付与するＷＭＳＡ（Ｗｅｉｇｈｔｅｄ　Ｍｕｌｔｉ　Ｓｌｏｔ　Ａｖｅｒａｇｉｎｇ）方式を採用した無線受信機に用いてもよい。このようにすると、チャネル推定の精度を一層高めることができる。
【００３４】
【発明の効果】
以上説明したように、本発明によれば、受信性能が高められた受信機を提供することができる。
【図面の簡単な説明】
【図１】本発明の受信機の一実施形態の構成を示すブロック図である。
【図２】図１に示すフェージング周期測定部で測定される受信信号のフェージング周期を示すグラフとパイロットシンボルを示す図である。
【図３】チャネル推定を行なうためのパイロットシンボルを示す図である。
【符号の説明】
１０　無線受信機
１１　フィルタ
１２＿１，１２＿２，…，１２＿ｎ　復調回路
１２＿１１　逆拡散部
１２＿１２　フェージング周期測定部
１２＿１３　チャネル推定部
１２＿１４　待ち合わせメモリ
１２＿１５　逆回転部
１３　信号合成回路
【図１】
2004140561.tif 000003
【図２】
2004140561.tif 000004
【図３】
2004140561.tif 000005